(57)【要約】【課題】小型化、薄型化された携帯機器とともにコンパクトに携帯することができるとともに、種々の携帯機器にも適用容易で汎用性の高いビューワーを提供する。【解決手段】携帯機器本体１１の表示画面に対して開閉可能に構成されるカバー部１２ｂの内面に設けられた薄板状部材用の受入部分１２ｃ〜１２ｅに取り付け可能に構成されるビューワー１３であって、前記受入部分に挿入可能な挿入片部分１３１ａを備える薄板状の基板部１３１と、前記基板部の外縁に折り曲げ可能に接続されるレンズ部分１３２ａ，１３２ｂを備えた薄板状の光学部１３２と、を具備し、前記基板部と前記光学部が相互に折り畳み可能に構成され、その折り畳み状態において全体が板状に構成される。【選択図】  図１
2020160193.tif 000002
【特許請求の範囲】
【請求項１】
携帯機器本体の表示画面に対して開閉可能に構成されるカバー部の内面に設けられた薄板状部材用の受入部分に取り付け可能に構成されるビューワーであって、
前記受入部分に挿入可能な挿入片部分を備える薄板状の基板部と、前記基板部の外縁に折り曲げ可能に接続されるレンズ部分を備えた薄板状の光学部と、を具備し、
前記基板部と前記光学部が相互に折り畳み可能に構成され、その折り畳み状態において全体が板状に構成される、
携帯機器用ビューワー。
【請求項２】
前記挿入片部分の挿入幅は、前記受入部の受入幅よりも小さい、
請求項１に記載の携帯機器用ビューワー。
【請求項３】
前記挿入片部分は、前記基板部に対する切り込みにより前記基板部において部分的に形成される、
請求項１又は２に記載の携帯機器用ビューワー。
【請求項４】
折り畳み状態では前記基板部の内面に沿って配置される薄板状の支持部であって、
前記基板部に固定された取付片部分と、該取付片部分に対して折り曲げ可能に接続され、前記基板部上から立ち上げることにより前記光学部と前記表示画面との間に配置可能に構成される張出部分とを有する前記支持部をさらに具備する、
請求項１〜３に記載の携帯機器用ビューワー。
【請求項５】
前記挿入片部分が前記基板部に設けられた切り込みにより前記基板部の厚み範囲内から前記カバー部の側へ突出するように構成され、
前記取付片部分は、前記基板部における前記挿入片部分の平面範囲内であって前記厚み範囲内において前記挿入片部分に対して前記カバー部とは逆側に配置される態様で、前記基板部における前記挿入片部分以外の部分に固定される、
請求項４に記載の携帯機器用ビューワー。
【請求項６】
前記光学部には、前記支持部の前記張出部分を係止する係止構造が設けられる、
請求項４又は５に記載の携帯機器用ビューワー。
【請求項７】
携帯機器本体と、
該携帯機器本体に装着され、前記携帯機器本体の表示画面上を開閉可能に覆う前記カバー部を備えるケースと、
請求項１〜６のいずれか一項に記載の携帯機器用ビューワーと、
を具備する携帯機器。
【発明の詳細な説明】
【技術分野】
【０００１】
本発明は、携帯電話、スマートフォン、タブレット、携帯型パーソナルコンピュータなどの各種携帯機器用のビューワーに関する。
【背景技術】
【０００２】
従来から、スマートフォンなどの携帯機器の画面に表示されたＶＲ画像を立体視したり、文字や精細画像を拡大したりするための各種のビューワーが市販されている。この種のビューワーとしては、例えば、以下の特許文献１のように、表示素子の筐体に取り付けられたカバー５に対して折り畳み可能に接続された双眼レンズ６を設け、カバー５を画面に対して直角に配置するとともに双眼レンズ６を画面に対面するようにカバー５に対して直角に配置することにより、双眼レンズ６を介して画面を視認することで、立体表示機能を発揮することができるように構成された電子機器が提案されている。また、表示機器の画面をレンズを通して立体視可能に構成される他の構成としては、以下の特許文献２及び３に記載されているものもある。
【先行技術文献】
【特許文献】
【０００３】
【特許文献１】特開２０１３−０７６７１６号公報
【特許文献２】特開２００４−１７７４３１号公報
【特許文献３】登録実用新案第３０２５８４１号公報
【発明の概要】
【発明が解決しようとする課題】
【０００４】
上記各文献に記載されたビューワーでは、各板状部が厚く、ヒンジ構造も大きいために、近年の小型化、薄型化された携帯機器とともにコンパクトに携帯することが難しいという問題がある。また、上記各ビューワーはそれぞれ折り畳み構造を有するものの、各部の寸法が固定されていることから、特定の表示装置にしか適用できず、汎用性に欠けるという問題もある。
【０００５】
そこで、本発明は上記課題を解決するものであり、その課題は、小型化、薄型化された携帯機器とともにコンパクトに携帯することができるとともに、種々の携帯機器にも適用容易で汎用性の高いビューワーを提供することにある。
【課題を解決するための手段】
【０００６】
上記課題を解決するために、本発明の携帯機器用ビューワーは、挿入片部分を備える薄板状の基板部と、前記基板部の外縁に折り曲げ可能に接続されるレンズ部分を備えた薄板状の光学部と、を具備し、前記基板部と前記光学部が相互に折り畳み可能に構成され、その折り畳み状態において全体が板状に構成されることを特徴とする。ここで、携帯機器本体の表示画面に対して開閉可能に構成されるカバー部の内面に設けられた薄板状部材用の受入部分に取り付け可能に構成されるビューワーであることが好ましく、前記挿入片部分は前記受入部分に挿入可能なものであることが望ましい。
【０００７】
本発明によれば、携帯機器本体を収容するケースなどに形成されるカバー部の内面に設けられたカード入れ等といった板状部材の受入部分に対して挿入片部分を挿入する（差し込む）ことで容易且つ迅速に取付けることができるとともに、上記カバー部の受入部分を備えた内面上に基板部を配置した姿勢でコンパクトに折り畳み、全体を板状とすることができるので、ケース内等に容易且つコンパクトに収納することができる。また、カバー部を開いた状態で基板部に対して折り曲げ可能な光学部を繰り出すことで携帯機器本体の表示画面上に容易に対面させることができるため、簡単にレンズ部分を通して表示画面を視認することが可能になる。このとき、上記受入部分に対して挿入片部分を差し込むことにより携帯機器用ビューワーを取り付けているとともに、カバー部に取り付けられる基板部に対し光学部を折り曲げ可能に接続しているので、レンズ部分の高さ、位置、角度等を容易に調整することができる。また、このことにより、特定の携帯機器だけでなく、種々の携帯機器に対応可能な汎用性を備えることができる。
【０００８】
本発明において、前記挿入片部分の挿入幅は、前記受入部分の受入幅よりも小さいことが好ましい。これによれば、カバー部から取り外すことなく焦点調整や位置調整を行うことが可能になる。この場合において、前記挿入片部分は、前記基板部の切り込みにより前記基板部において部分的に形成されることが望ましい。これによれば、挿入片部分の周囲の少なくとも一部に基板部の周縁部分を設けることができるため、挿入片部分の周囲にある外縁においても基板部と光学部とを接続することができるから、全体として薄型化を図ってもビューワーとして所要の剛性を容易に確保することができる。
【０００９】
本発明において、折り畳み状態では前記基板部の内面に沿って配置される薄板状の支持部であって、前記基板部に固定された取付片部分と、該取付片部分に対して折り曲げ可能に接続され、前記基板部上から立ち上げることにより前記光学部と前記表示画面との間に配置可能に構成される張出部分とを有する前記支持部をさらに具備することが好ましい。この場合において、前記挿入片部分が前記基板部に設けられた切り込みにより前記基板部の厚み範囲内から前記カバー部の側へ突出するように構成されたときには、前記取付片部分は、前記基板部における前記挿入片部分の平面範囲内であって前記厚み範囲内において前記挿入片部分に対して前記カバー部とは逆側に配置される態様で前記基板部における前記挿入片部分以外の部分（例えば、上記周縁部分）に固定されることが望ましい。このとき、前記取付片部分は、前記平面範囲内及び前記厚み範囲にぴったりと嵌合する態様で前記部分に固定されることがさらに望ましい。
【００１０】
本発明において、前記光学部には、前記支持部の前記張出部分を係止する係止構造が設けられることが好ましい。この係止構造は、前記光学部における前記基板部に対する接続縁とは反対側の先端部に形成されていることが望ましい。また、上記係止構造は、前記光学部の先端部の平行線に沿って山折り可能に構成された先端縁部分に形成されることがさらに望ましい。
【００１１】
次に、本発明に係る携帯機器は、携帯機器本体と、この携帯機器本体に装着され、前記携帯機器本体の表示画面上を開閉可能に覆うカバー部を備えるケースと、上記いずれかの携帯機器用ビューワーと、を具備する。
【発明の効果】
【００１２】
本発明によれば、小型化、薄型化された携帯機器とともにコンパクトに携帯することができるとともに、種々の携帯機器にも適用容易で汎用性の高いビューワーを提供することができる。
【図面の簡単な説明】
【００１３】
【図１】携帯機器用ビューワーの実施形態の使用態様を示す斜視図である。
【図２】携帯機器用ビューワーの実施形態の構造を示すための分解斜視図である。
【図３】携帯機器用ビューワーの実施形態の折り畳み開始時の様子を示す斜視図である。
【図４】携帯機器用ビューワーの実施形態の折り畳み途中の様子を示す斜視図である。
【図５】携帯機器用ビューワーの実施形態の折り畳み完了時の様子を示す斜視図である。
【図６】携帯機器用ビューワーの実施形態の折り畳み完了時の裏側の様子を示す斜視図である。
【図７】携帯機器用ビューワーの実施形態を携帯機器に取り付けた様子を示す斜視図である。
【図８】携帯機器用ビューワーの実施形態の取付時における背面の取付片の様子を示す斜視図である。
【図９】携帯機器用ビューワーの実施形態を携帯機器に取り付ける際の動作を示す斜視図である。
【図１０】携帯機器用ビューワーの実施形態の使用例の様子を示す斜視図（ａ）、同実施形態の縮尺約１／２の展開内面図及びその左右側面図（ｂ）、並びに、同実施形態の縮尺約１／２の展開外面図及びその左右側面図（ｃ）である。
【発明を実施するための形態】
【００１４】
次に、添付図面を参照して本発明の実施形態について詳細に説明する。最初に、図１乃至図６を参照して、本発明に係る携帯機器用ビューワーの実施形態の構造について説明する。携帯機器用ビューワー１３は、紙、樹脂板、金属板などで構成された薄板状のシート材で構成され、全体が折り畳み可能に構成されている。シート材は、後述する組み立て状態を自律的に保持できる剛性を備えるものであれば、可撓性素材で構成されていることが好ましい。このシート材の厚みは５０〜２０００μｍであることが好ましく、特に、２００〜１０００μｍの範囲であることが望ましい。また、携帯機器用ビューワーの折り畳み時のサイズは、スマートフォン用のものであれば、縦５０ｍｍ〜１００ｍｍ、横７０ｍｍ〜１８０ｍｍの範囲内であることが望ましい。特に、上記範囲内において、縦と横が６５ｍｍ×１３０ｍｍ、あるいは、これより大きいことが望ましい。
【００１５】
携帯機器用ビューワー１３は、薄板状で長方形状の基板部１３１と、この基板部１３１の一方の長辺の山折線１３１ｔに沿って折り込み可能に接続された薄板状で長方形状の光学部１３２と、上記基板部１３１に対して固定され、基板部１３１の内面上に重なるように配置可能であるとともに、谷折線１３３ｔに沿って折ることによりその一部を立ち上げる（起こす）ことができるように構成された薄板状で長方形状の支持部１３３とを備える。なお、各部の長方形状は一例であり、各部はそれぞれが薄板状に構成されていればよく、長方形以外の平面形状、例えば、楕円状に形成されていてもよい。ただし、所定方向（図示例では左右方向）に延長された形状を備えていることが望ましい。
【００１６】
基板部１３１は、その平面形状の内部に略コ字状の切り込み線１３１ｓを備え、この切り込み線１３１ｓによって基板部１３１よりもひと回り小さく形成された長方形状の挿入片部分１３１ａを備える。また、この挿入片部分１３１ａ以外の部分は周縁部分１３１ｂとなっている。図示例では、挿入片部分１３１ａの全周にわたり周縁部分１３１ｂが設けられる。挿入片部分１３１ａは、長方形状に限らず、全体として舌状に構成され、カード入れなどの受入部に挿入可能に構成された薄板状の部分であればよい。また、図示例のように、切り込み線１３１ｓが連結部分を除いて挿入片部分１３１ａの全体を構成するように形成されている必要はなく、例えば、基板部１３１の一つ若しくは二つの辺（長辺若しくは短辺）を利用するとともに、残りの部分にのみ切り込み線を形成することで、上記挿入片部分が設けられていてもよい。ただし、この場合には、基板部１３１における挿入片部分１３１ａ以外の部分は、上記周縁部分１３１ｂのような全周にわたる形状、例えば、図示例の四角枠状にはならない。さらには、基板部１３１の幅をそのまま狭めることによって、或いは、基板部１３１の片側部分をそのまま、挿入片部分１３１ａとして用いてもよい（この場合には周縁部分１３１ｂが明確に区画されないときや挿入されない部分を周縁部分１３１ｂとして把握することしかできないときがある）。上記基板部１３１の内面は、不透明であることが好ましく、黒色などの濃色で、光反射率が低いことが望ましい。
【００１７】
光学部１３２は、その平面形状の内部に一対のレンズ部分１３２ａ，１３２ｂを備える。これらのレンズ部分１３２ａ，１３２ｂは特に限定されるものではないが、長方形若しくは正方形状の平面形状を備えることが好ましい。また、フレネルレンズであることが好ましい。例えば、シートルーペ、シートレンズ（カードレンズ）などに用いられる拡大視認機能を備えるものが望ましい。このようなレンズ部分１３２ａ，１３２ｂでは、光学部１３２から目を離した状態で後述する表示画面の画像を視認できる。表示画面に焦点を結ぶ光学部１３２からの目の距離は２０ｃｍ以内であることが好ましい。また、光学部１３２において、上記レンズ部分１３２ａと１３２ｂは、枠部分１３２ｃによって一体化される。枠部分１３２ｃは、図示例では、一対のレンズ部分１３２ａと１３２ｂの間の部分と、各レンズ部分１３２ａ，１３２ｂのそれぞれの図示上下に枠状に構成される。枠部分１３２ｃは、不透明であることが好ましく、特に、黒色などの濃色であるなど、光反射率が低いことが望ましい。
【００１８】
光学部１３２には、山折線１３２ｔにおいて折り曲げ可能に構成された先端縁部分１３２ｄが設けられる。図示例では、先端縁部分１３２ｄは、光学部１３２の長辺に沿って平行な上記山折線１３２ｔによって区画される部分となっている。この先端縁部分１３２ｄの中央部には、係止構造である切り込み１３２ｅが形成されている。なお、上記のように、光学部１３２においてレンズ部分１３２ａ，１３２ｂ（或いはその周囲の枠部分１３２ｃ）に折り目を介して接続された上記先端縁部分１３２ｄを設けることにより、光学部１３２の長手方向（図示左右方向）の剛性を高めることができるとともに、この先端縁部分１３２ｄを張出部分１３３ｂに係止することにより、携帯機器用ビューワー１３の全体の剛性を高めることができる。したがって、その分、上記シート材の厚みを低減することができるので、折り畳み時において、さらなるコンパクト化（薄型化）を図ることが可能になる。また、同様の理由により、シート材としてより柔軟な材質を用いることができるので、組み立て状態の柔軟性を高めて多少の変形が可能であるように構成したり、収納場所の状況に対して折り畳み状態を適応させたりすることが容易になる。
【００１９】
支持部１３３には、基板部１３１に固定された取付片部分１３３ａと、この取付片部分１３３ａに対して谷折線１３３ｔで折り起こし可能に構成された張出部分１３３ｂとを有する。ここで、取付片部分１３３ａは、上記切り込み線１３１ｓによって区画された平面範囲１３１ｐ内であって、基板部１３１の厚み範囲１３１ｑ内に配置された状態で基板部１３１の上記周縁部分１３１ｂに固定されることが好ましい。このとき、取付片部分１３３ａは、上記挿入片部分１３１ａに対してカバー部１２ｂとは反対の内面側に配置される。上記平面範囲１３１ｐは、挿入片部分１３１ａが基板部１３１の厚み範囲から突出するように変形したときに表れる開口部の範囲である。また、上記厚み範囲１３１ｑは、当該開口部の範囲内に存在する基板部１３１（周縁部分１３１ｂ）の厚み範囲内にある空間の範囲である。これにより、上記挿入片部分１３１ａは、取付片部分１３３ａが配置されることにより、図６に示すように、上記周縁部分１３１ｂに沿った上記厚み範囲１３１ｑからカバー部１２ｂの側に突出した状態に維持される。特に、図示例のように、取付片部分１３３ａは、平面範囲１３１ｐと厚み範囲１３１ｑにぴったりと嵌合する態様で周縁部分１３１ｂに固定されることが望ましい。取付片部分１３３ａは、図示しない固定テープなどの取付材を介した溶着、接着等により、或いは、平面範囲１３１ｐの周囲の周縁部分１３１ｂの内縁に対する直接の溶着、接着等により、基板部１３１の周縁部分１３１ｂに対して固定される。上記取付片部分１３３ａの内面は、不透明であることが好ましく、黒色などの濃色で、光反射率が低いことが望ましい。
【００２０】
上記張出部分１３３ｂは、図示例のように、一対のレンズ部分１３２ａ，１３２ｂを通して見える図示下方の領域を仕切るように薄板状に構成されることが好ましい。図示例では、張出部分１３３ｂは、一対のレンズ部分１３２ａ，１３２ｂの間の枠状部１３２ｃに沿った上縁部を備えた平板状に構成され、そのまま上縁部から図示下方の後述する表示画面１１ａに向けて同じ幅を備えるように下方へ延在し、上縁部と平行な下縁部を備える。このように仕切板として機能させる場合には、張出部分１３３ｂの両面は、上記基板部１３１の内面、上記枠部分１３２ｃ、上記取付片部分１３３ａの内面のように、不透明であることが好ましく、黒色などの濃色で、光反射率が低いことが望ましい。なお、張出部分１３３ｂは、後述する使用時の組み立て状態において、光学部１３２の下面と表示画面１１ａの表面の両者に当接している必要はなく、両者のいずれからも多少離間するように構成されていても、仕切板として実質的に機能しうる場合が考えられる。
【００２１】
図示例では、張出部分１３３ｂは、取付片部分１３３ａから折り起こすことによって、光学部１３２における上記一対のレンズ部分１３２ａ，１３２ｂの間にある枠部分１３２ｃの図示下面を支持可能に構成される。また、張出部分１３３ｂは、上記先端縁部分１３２ｄに設けられた係止構造である切り込み１３２ｅに挿入可能に構成される。張出部分１３３ｂは、係止構造（切り込み１３２ｅ）に係止されることにより先端縁部分１３２ｄによって保持される。なお、切り込み１３２ｅとともに、或いは、切り込み１３２ｅの代わりに、張出部分１３３ｂに切り込み（係止構造）を形成してもよい。また、係止構造としては、上記の切り込みに限らず、面ファスナー構造やスナップ止め構造などを用いてもよい。
【００２２】
図１には、上記のようにして携帯機器用ビューワー１３が組み立てられた状態を示す。ここで、図２には、一つのシート片により構成される支持部１３３が、基板部１３１と光学部１３２が一体に設けられた別のシート片に対して取り付けられることによって、携帯機器用ビューワー１３が組み立てられることが示される。図１に示す組み立て状態から、図３に示すように、切り込み１３２ｅと張出部分１３３ｂの係止状態を解除して、張出部分１３３ｂを基板部１３１の内面上に折り畳むと、図４のようになる。その後、光学部１３２を基板部１３１の内面に向けて折り畳むと、図５及び図６に示すように、基板部１３１、光学部１３２、支持部１３３が相互に重なって板状とされた折り畳み状態とすることができる。
【００２３】
図７には、携帯機器１０の全体構成を示す。携帯機器１０は、表示画面１１ａを備える携帯機器本体１１と、この携帯機器本体１１を装着する装着部１２ａと、この装着部１２ａに接続され、表示画面１１ａに対して開閉可能に構成されるカバー部１２ｂとを有するケース１２と、を具備する。ケース１２のカバー部１２ｂの内面には、図９に示すように、カード等の薄板状の部材を受け入れ可能な受入部分１２ｃ，１２ｄ，１２ｅが設けられる。この受入部分１２ｃ〜１２ｅには、上記携帯機器用ビューワー１３の挿入片部分１３１ａを挿入可能である。また、受入部分１２ｃ〜１２ｅに挿入片部分１３１ａを挿入することによって、カバー部１２ｂの内面上に携帯機器用ビューワー１３が取付られる。このとき、受入部分１２ｃ〜１２の受入幅Ｗｒに対して挿入片部分１３１ａの挿入幅Ｗｉは小さいので、携帯機器用ビューワー１３を、カバー部１２ｂに対する（すなわち、携帯機器本体１１に対する）取付状態を維持したまま、図示上下方向に移動させることができる。この図示上下方向とは、組み立て状態においてレンズ部分１３２ａ，１３２ｂが表示画面１１ａに対して接近したり離反したりする方向である。
【００２４】
上記カバー部１２ｂに対する携帯機器用ビューワー１３の取付時には、図８に示すように、基板部１３１の外面上の挿入片部分１３１ａを周縁部分１３１ｂや取付片部分１３３ａから離反した状態にして受入部分１２ｃ〜１２ｅに挿入する。このとき、挿入片部分１３１ａが形成された平面範囲１３１ｐ及び厚み範囲１３１ｑの内部に取付片部分１３３ａが配置されることによって、図６に示すように、挿入片部分１３１ａが基板部１３１の外面上に突出し、その突出状態が維持されるので、携帯機器用ビューワー１３の取付時において挿入片部分１３１ａを受入部分１２ｃ〜１２ｅに差し込み易くなる。
【００２５】
図１０には、上記のように取り付けられた携帯機器用ビューワー１３を組み立てることにより、使用時の態様とした様子を示す。本実施形態では、携帯機器本体１１の表示画面１１ａにＶＲ画像１１Ｌ，１１Ｒを表示させると、レンズ部分１３２ａ，１３２ｂを通して視認することにより、立体画像を見ることができる。また、ＶＲ画像ではなくても、レンズ部分１３２ａ，１３２ｂを通して表示画面１１ａの画像を見ることにより、当該画像を拡大視することができる。したがって、細かな字や精細画像の細部を確認することも可能である。ここで、カバー部１２ｂと基板部１３１（周縁部分１３１ｂ）を手で挟みながら、レンズ部分１３２ａ，１３２ｂを通して視認することができる。例えば、左右の手でカバー部１２ｂと基板部１３１が重なっている左右両側にある部分をそれぞれ把持する。このとき、支持部１３３の張出部分１３３ｂは、光学部１３２を下方より支える機能を備えるとともに、左右のレンズ部分１３２ａと１３２ｂの視界を分断するための仕切板としても機能する。なお、張出部分１３３ｂは、図示例のように光学部１３２（特に、図示例のように一対のレンズ部分１３２ａと１３２ｂの間の枠部分１３２ｃ）に常時直接に接触した状態で支える必要はなく、光学部１３２と表示画面１１ａの間に配置されていればよい。これによって、携帯機器用ビューワー１３を用いている際に、基板部１３１や光学部１３２が大きく変形することを抑制するものとなればよい。また、張出部分１３３ｂを、携帯機器用ビューワー１３を持つための把持部として用いることもできる。この場合には、片手でビューワー１３を把持することができる。
【００２６】
本実施形態では、カバー部１２ｂに対して、受入部分１２ｃ〜１２ｅの受入幅Ｗｒの中で挿入片部分１３１ａの挿入幅Ｗｉを移動できる範囲内で、矢印Ｆに示すように、ビューワー１３が図示上下方向に移動可能に構成される。このため、表示画面１１ａに対するレンズ部分１３２ａ，１３２ｂの距離を調整可能となるから、焦点調整が可能であるとともに、挿入片部分１３１ａの差し込み方向（図示左右方向）にも移動可能に構成され、良好な状態で使用できる。また、基板部１３１と光学部１３２は、或る程度、折り目（山折線１３１ｔ）において矢印Ｒに示すように折り曲げ角度を変更可能である。このため、カバー部１２ｂの表示画面１１ａに対する立設角度を変更することによって、レンズ部分１３２ａ，１３２ｂの表示画面１１ａ上の平面位置を光学部１３２の平行度を保ったまま調整することも可能である。このとき、必要であれば、係止構造（切り込み１３２ｅ）と張出部分１３３ｂとの係止深さを浅くしたり、解除したりしても構わない。なお、光学部１３２を表示画面１１ａに対して傾斜して用いることも可能である。また、係止構造は、光学部１３２に設けるのではなく、例えば、ケース１２の装着部１２ａにおけるカバー部１２ｂの内面とは反対側の外縁部から上方へ突出するように設けられた係止帯によって構成し、この係止帯が張出部分１３３ｂの下部先端を係止するように構成してもよい。
【００２７】
また、本実施形態では、カバー部１２ｂに対する取付構造の態様により、上記矢印ＦやＲに示すようにビューワーのレンズ部分１３２ａ，１３２ｂの高さや位置、角度などを容易に調整できるため、汎用性を高めることができることから、特定の携帯機器本体１１だけでなく、種々の携帯機器にも用いることが可能である。さらに、携帯機器用ビューワー１３は、挿入片部分１３１ａとカバー部１２ｂの受入部分１２ｃ〜１２ｅの抜き差しによって着脱できるので、極めて容易かつ迅速に着脱作業を行うことができる。また、携帯機器用ビューワー１３をカバー部１２ｂに取り付けた状態のままで、図１〜図５に示すように、折り畳み状態と組み立て状態との間の移行操作を容易かつ迅速に行うことができる。
【００２８】
本実施形態の形態機器用ビューワー１３は、上述のように簡易な構造でありながら、軽量、薄型、柔軟であるために、極めて使いやすく、しかも低コストで製造することができるという利点を有する。また、レンズ部分１３２ａ，１３２ｂと表示画面１１ａとの間の透視空間が外部に開放されているため、密閉性は得られないが、その分、簡易な構造とすることができるので、軽量化や薄型化を図りやすく、収納性（コンパクト性）も向上できる。
【００２９】
なお、本発明の携帯機器用ビューワー及び携帯機器は、上述の図示例のみに限定されるものではなく、本発明の要旨を逸脱しない範囲内において種々変更を加え得ることは勿論である。例えば、図示例では、張出部分１３３ｂを光学部１３２に対する支持機能と仕切機能のいずれをも備えたものとして構成しているが、いずれか一方のみを有するものとすることもできる。また、張出部分１３３ｂを、光学部１３２に対する支持機能というよりは、表示画面１１ａに当接してビューワー全体を画面上に保持するもの、或いは、ビューワーの把持部として、設計することもできる。例えば、表示画面１１ａに当接しやすくなるように、光学部１３２から図示下方へ離れた位置に張り出すように構成してもよい。さらに、携帯機器用ビューワーを、携帯機器本体やケースとは切り離して単独で用いることも可能である。
【符号の説明】
【００３０】
１０…携帯機器、１１…携帯機器本体、１２…ケース、１２ａ…装着部、１２ｂ…カバー部、１２ｃ〜１２ｅ…（カード等を受け入れ可能な）受入部分、１３…携帯機器用ビューワー、１３１…基板部、１３１ａ…挿入片部分、１３１ｓ…切り込み線、１３１ｐ…平面範囲、１３１ｑ…厚み範囲、１３１ｂ…周縁部分、１３１ｔ…山折線、１３２…光学部、１３２ａ，１３２ｂ…レンズ部分、１３２ｃ…枠部分、１３２ｔ…山折線、１３２ｄ…先端縁部分、１３２ｅ…係止構造（切り込み）、１３３…支持部、１３３ａ…取付片部分、１３３ｔ…谷折線、１３３ｂ…張出部分
【図１】
2020160193.tif 000003
【図２】
2020160193.tif 000004
【図３】
2020160193.tif 000005
【図４】
2020160193.tif 000006
【図５】
2020160193.tif 000007
【図６】
2020160193.tif 000008
【図７】
2020160193.tif 000009
【図８】
2020160193.tif 000010
【図９】
2020160193.tif 000011
【図１０】
2020160193.tif 000012